(57)【要約】【課題】光ディスク装置等接続機器がコンピュータからＵＳＢ等で電力供給を受ける場合安定的に電力供給されなければならないが、光ディスク装置の消費電力には変動があり、動作途中に光ディスク装置が一時的に電力不足となり、動作異常が生じる場合があった。【解決手段】電力伝達機能と信号伝達機能を兼ね備えた接続手段によって電子機器からの電力の取得と信号の入出力を行う接続機器を接続し、前記電子機器にて実施される制御プログラムによって前記接続機器をテスト動作させ、前記テスト動作によって前記接続機器の消費電力を評価し、前記消費電力が前記電子機器から供給が可能であるかを評価することとした。【選択図】図５
2005135376.tif 000002
【特許請求の範囲】
【請求項１】
電力伝達機能と信号伝達機能を兼ね備えた接続手段によって電子機器からの電力の取得と信号の入出力を行う接続機器を接続し、前記電子機器にて実施される制御プログラムによって前記接続機器をテスト動作させ、前記テスト動作によって前記接続機器の消費電力を評価し、前記消費電力が前記電子機器から供給が可能であるかを評価することを特徴とする接続機器の電力診断方法。
【請求項２】
テスト動作は、制御プログラムによって接続機器を１種類もしくは複数種類の動作設定で動作させ、それぞれの動作状態における消費電力が電子機器から供給が可能であるかを評価するものであることを特徴とする請求項１記載の接続機器の電力診断方法。
【請求項３】
接続機器の消費電力が電子機器から供給が可能であるかの評価は、前記消費電力が前記電子機器からの供給能力よりも過多となった場合、前記接続機器から前記電子機器に送信される信号が変化することによって制御プログラムが認識することを特徴とする請求項２記載の接続機器の電力診断方法。
【請求項４】
使用者が制御プログラムを電子機器にて操作でき、接続機器の消費電力を電子機器が供給可能であるかの評価結果を電子機器の表示装置で表示することを特徴とする請求項１記載の接続機器の電力診断方法。
【請求項５】
動作設定は、接続機器の少なくとも消費電力が異なる動作が含まれることを特徴とする請求項２記載の接続機器の電力診断方法。
【請求項６】
動作設定は、少なくとも接続機器の消費電力が最大もしくはほぼ最大になる動作が含まれることを特徴とする請求項２記載の接続機器の電力診断方法。
【請求項７】
テスト動作は、複数種類の動作設定を有し、接続機器を前記複数種類の動作設定中、消費電力の低い動作設定から消費電力の高い動作設定へと動作設定を変えて動作をおこない、前記複数種類の動作設定中電子機器から電力供給が可能な最も消費電力の高い設定を得ることを特徴とする請求項２記載の接続機器の電力診断方法。
【請求項８】
電子機器はコンピュータであり、接続手段はＵＳＢ（ユニバーサル・シリアル・バス）であり、接続機器は光ディスク装置であることを特徴とする請求項１記載から請求項５いずれかに１記載の接続機器の電力診断方法。
【請求項９】
電力を外部から供給され、しかもテスト動作を外部からの指示により行うことが可能な接続機器であって、外部から供給可能な電力によって動作可能な条件をテスト動作によって外部で判定し、外部から入力された前記動作可能な条件に対応したデータを記憶手段に格納し、制御手段は前記記憶手段に記憶されたデータに基づいて各部を制御することを特徴とする接続機器。
【請求項１０】
光ディスクを回転させる回転駆動手段と、光ディスクに対して光を照射し情報の記録・再生の少なくとも一方を行う記録再生部と、前記記録再生部を前記回転駆動手段に対して近づく方向及び離れる方向に所定の範囲で移動可能に支持するガイド部と、前記記録再生部を前記ガイド部に沿って移動させるフィード部と、全体を制御する制御部と記憶手段を備え、電力を外部から供給され、しかもテスト動作を外部からの指示により行うことが可能な光ディスク装置であって、テスト動作で前記回転駆動手段や前記記録再生部や前記フィード部等各部を動作することによって、外部から供給可能な電力によって動作可能な条件を外部で判定し、外部から入力された前記動作可能な条件に対応したデータを前記記憶手
段に格納し、前記制御手段は前記記憶手段に記憶されたデータに基づいて各部を制御することを特徴とする光ディスク装置。
【請求項１１】
外部とをＵＳＢ（ユニバーサル・シリアル・バス）にて接続していることを特徴とする請求項１０記載の光ディスク装置。
【発明の詳細な説明】
【技術分野】
【０００１】
本発明はコンピュータ等の電子機器にユニバーサル・シリアル・バス（ＵＳＢ）インタフェース等の電力伝達機能と信号伝達機能を兼ね備えた接続手段にて接続可能な接続機器の電力診断方法及びこれを用いた接続機器及び光ディスク装置に関する。
【背景技術】
【０００２】
パーソナルコンピュータ等の電子機器に接続して使用する接続機器には、接続したパーソナルコンピュータ等の電子機器から電力供給を受けることが出来るものがある。例えばユニバーサル・シリアル・バス（以下ＵＳＢと称す）は電源バスを有している為、この電源バスにて電力供給を受けている接続機器がある。
【０００３】
ここではＵＳＢにて電力供給可能な従来の光ディスク装置を例として図を用いて説明する。図８は従来の光ディスク装置の構成を示すブロック図である。
【０００４】
図８において、ＣＰＵ１４は論理判断や演算を行う。メインメモリ１３は、制御プログラム、ならびに光ディスク記録装置のための記録制御プログラムを記憶したプログラム記憶エリアを有している。バッファメモリ１１は、記憶領域、記録制御、再生制御に必要な記憶領域として使用される。フィードモータ２は、モータ駆動回路６で駆動される。３はスピンドルモータで同じようにモータ駆動回路６で駆動される。４はピックアップユニットであり、アクチュエータ駆動回路７で駆動される。モータ駆動回路６、アクチュエータ駆動回路７をサーボ制御するものがＣＤサーボプロセッサ９である。また、モータ駆動回路７に電力を供給するのが駆動系電源回路８である。
【０００５】
再生系では、光ディスク1とピックアップユニット４から得られる光信号はアナログ信号処理部５で信号処理され、ＣＤサーボプロセッサ９のフィードバック信号として使われると共に、デジタル信号処理部１０の入力信号となりデジタル信号へ復調され、その結果をバッファメモリ１１へ格納する。バッファメモリ１１は記録データ、および復調したデータを一時記憶するためのメモリである。これらのデータはインタフェース部１２を経由し、ＡＴＡＰＩバス１６を使った通信でＵＳＢ変換ＩＣ１７とデータの受け渡しを行う。
【０００６】
ＵＳＢ変換ＩＣ１７は、受けたＡＴＡＰＩ信号をＵＳＢ信号１８へ変換しＵＳＢコネクタ１９を通しＵＳＢケーブルによって外部のコンピュータ（ホストコンピュータ）２０と接続されデータの受け渡しを行うものである。システムバス１５は、光ディスク装置内でのデータ転送用バスである。メインメモリに記録されたプログラムによりＣＰＵがデジタル信号処理部の制御を行う。デジタル系電源回路２６はＣＰＵ１４、デジタル信号処理部１０、メモリ１３等、デジタル信号処理部１０に対し各種の電圧を安定供給する。
【０００７】
これら装置を動かす回路部分へ供給される電圧は、ＡＣアダプタ２１でＡＣ１００ＶからＤＣ６Ｖへ変換されＤＣジャック２２よりドライブへ供給される。電源起動回路２５はＵＳＢコネクタ１９の電源端子ＶＢＵＳ２４の電圧に連動しドライブの駆動系電源回路８デジタル系電源回路２５に電圧を供給する仕組みを有し、ＵＳＢ電源のＯＮ／ＯＦＦに連動し自動的にドライブを起動及び終了させる。
【０００８】
先行例としては、（特許文献１）（特許文献２）等がある。
【特許文献１】特開２００１−１４４７７２号公報
【特許文献２】特開２００１−１７７５４３号公報
【発明の開示】
【発明が解決しようとする課題】
【０００９】
上記にて述べたような、ＵＳＢ等電源バスを有する接続手段でコンピュータに光ディスク装置を接続した場合、光ディスク装置はＡＣアダプタを使用せず接続手段を介してコンピュータから電力供給が可能であれば、ＡＣアダプタが不要となり、携帯性や操作性が大幅に向上する。しかしながら光ディスク装置の消費電力は一定とは限らず、例えば、スピンドルモータ３の回転加速時や減速時において消費電力は変動し、データ読み取り時や書き込み時等の動作の違いによっても変動する。したがってコンピュータから電力供給を行う場合、このような変動を含めて安定的に電力供給されなければならない。しかしコンピュータの電力供給能力が光ディスク装置の消費電力の変動を許容するかを予測するのは困難であり、動作途中に光ディスク装置が一時的に電力不足となり、動作異常が生じる場合があった。
【課題を解決するための手段】
【００１０】
かかる問題を解決するために本発明は接続機器の電力診断方法によって、電力伝達機能と信号伝達機能を兼ね備えた接続手段によって電子機器からの電力の取得と信号の入出力を行う接続機器を接続し、前記電子機器にて実施される制御プログラムによって前記接続機器をテスト動作させ、前記テスト動作によって前記接続機器の消費電力を評価し、前記消費電力が前記電子機器から供給が可能であるかを評価することとした。
【発明の効果】
【００１１】
光ディスク装置とコンピュータをＵＳＢ等電源バスを有する接続手段で接続する場合、始めに本接続機器の電力診断方法によって、コンピュータに電力供給能力があるかを診断する。制御プログラムである診断ツールを使って光ディスク装置を消費電力が異なる動作条件にて動作させ、電力供給側のコンピュータの電力供給能力が十分であるかを診断することが出来るので、動作途中に光ディスク装置が一時的に電力不足となり、動作異常が生じることを回避することが出来る。
【発明を実施するための最良の形態】
【００１２】
請求項１記載の発明は、電力伝達機能と信号伝達機能を兼ね備えた接続手段によって電子機器からの電力の取得と信号の入出力を行う接続機器を接続し、前記電子機器にて実施される制御プログラムによって前記接続機器をテスト動作させ、前記テスト動作によって前記接続機器の消費電力を評価し、前記消費電力が前記電子機器から供給が可能であるかを評価することを特徴とする接続機器の電力診断方法によって、制御プログラムを使って接続機器に消費電力が異なる動作を実行させ、電力供給側の電子機器の電力供給能力が十分であるかを診断することが出来るので、動作途中に接続機器が一時的に電力不足となり、動作異常が生じることを回避することができる。
【００１３】
請求項２記載の発明は、テスト動作は、制御プログラムによって接続機器を１種類もしくは複数種類の動作設定で動作させ、それぞれの動作状態における消費電力が電子機器から供給が可能であるかを評価するものであることを特徴とする請求項１記載の接続機器の電力診断方法によって、テスト動作によって接続機器の消費電力を詳細に評価することができ、電力供給側の電子機器の電力供給能力が十分であるかをより確実に診断することが出来るので、動作途中に接続機器が一時的に電力不足となり、動作異常が生じることを回避することができる。
【００１４】
請求項３記載の発明は、接続機器の消費電力が電子機器から供給が可能であるかの評価は、前記消費電力が前記電子機器からの供給能力よりも過多となった場合、前記接続機器から前記電子機器に送信される信号が変化することによって制御プログラムが認識することを特徴とする請求項２記載の接続機器の電力診断方法によって、例えばテスト動作中連
続的に接続機器より電子機器に信号を送信し、テストの動作設定で接続機器の消費電力が過多になり信号の送信が停止することによって制御プログラムがその動作設定で接続機器の消費電力が過多になることを認識できる。よって、接続機器に複雑な判断機能等を設けることなく制御プログラムは接続機器の消費電力が過多になったことを認識できる。
【００１５】
請求項４記載の発明は、使用者が制御プログラムを電子機器にて操作でき、接続機器の消費電力を電子機器が供給可能であるかの評価結果を電子機器の表示装置で表示することを特徴とする請求項１記載の接続機器の電力診断方法によって、使用者が本電力診断を容易な操作にて行うことができる。
【００１６】
請求項５記載の発明は、動作設定は、接続機器の少なくとも消費電力が異なる動作が含まれることを特徴とする請求項２記載の接続機器の電力診断方法によって、動作設定を適当に設定することにより接続機器に生じうる電力消費を事前に評価することができ、動作途中に接続機器が一時的に電力不足となり、動作異常が生じることを回避することができる。
【００１７】
請求項６記載の発明は、動作設定は、少なくとも接続機器の消費電力が最大もしくはほぼ最大になる動作が含まれることを特徴とする請求項２記載の接続機器の電力診断方法によって、接続機器に生じうる最大もしくはほぼ最大の電力消費を事前に評価することができ、動作途中に接続機器が一時的に電力不足となり、動作異常が生じることを回避することができる。
【００１８】
請求項７記載の発明は、テスト動作は、複数種類の動作設定を有し、接続機器を前記複数種類の動作設定中、消費電力の低い動作設定から消費電力の高い動作設定へと動作設定を変えて動作をおこない、前記複数種類の動作設定中電子機器から電力供給が可能な最も消費電力の高い設定を得ることを特徴とする請求項２記載の接続機器の電力診断方法によって、ユーザ環境下で可能な、最適な動作条件で動作させることが可能となる。
【００１９】
請求項８記載の発明は、電子機器はコンピュータであり、接続手段はＵＳＢ（ユニバーサル・シリアル・バス）であり、接続機器は光ディスク装置であることを特徴とする請求項１記載から請求項５いずれかに１記載の接続機器の電力診断方法であって、光ディスク装置をＵＳＢにてコンピュータに接続する場合に光ディスクがＵＳＢを電源として使用できるかを、本電力診断方法にて使用者が容易な操作にて行うことができる。
【００２０】
請求項９記載の発明は、電力を外部から供給され、しかもテスト動作を外部からの指示により行うことが可能な接続機器であって、外部から供給可能な電力によって動作可能な条件をテスト動作によって外部で判定し、外部から入力された前記動作可能な条件に対応したデータを記憶手段に格納し、制御手段は前記記憶手段に記憶されたデータに基づいて各部を制御することを特徴とする接続機器によって、外部からの指示、判定で明確になった接続機器の電力消費が過多になる動作条件を接続機器が記憶手段に記憶し、この動作条件を回避しつつ動作させることによって、電子機器等外部からの電力供給によって接続機器を安定的に動作させる可能性をより増やすことができる。
【００２１】
請求項１０記載の発明は、光ディスクを回転させる回転駆動手段と、光ディスクに対して光を照射し情報の記録・再生の少なくとも一方を行う記録再生部と、前記記録再生部を前記回転駆動手段に対して近づく方向及び離れる方向に所定の範囲で移動可能に支持するガイド部と、前記記録再生部を前記ガイド部に沿って移動させるフィード部と、全体を制御する制御部と記憶手段を備え、電力を外部から供給され、しかもテスト動作を外部からの指示により行うことが可能な光ディスク装置であって、テスト動作で前記回転駆動手段や前記記録再生部や前記フィード部等各部を動作することによって、外部から供給可能な
電力によって動作可能な条件を外部で判定し、外部から入力された前記動作可能な条件に対応したデータを前記記憶手段に格納し、前記制御手段は前記記憶手段に記憶されたデータに基づいて各部を制御することを特徴とする光ディスク装置によって、コンピュータ、電子機器等外部からの制御プログラムによるテスト動作の指示、判定で明確になった光ディスク装置の電力消費が過多になる動作条件を光ディスク装置が記憶手段に記憶し、この動作条件を回避しつつ動作させることによって、コンピュータ、電子機器等外部からの電力供給によって光ディスク装置を安定的に動作させる可能性をより増やすことができる。
【００２２】
請求項１１記載の発明は、外部とをＵＳＢ（ユニバーサル・シリアル・バス）にて接続していることを特徴とする請求項１０記載の光ディスク装置によって、ＵＳＢによってコンピュータからの電力供給とデータの送受を行い、コンピュータ、電子機器等外部からの制御プログラムによるテスト動作の指示、判定で明確になった光ディスク装置の電力消費が過多になる動作条件を光ディスク装置が記憶手段に記憶し、この動作条件を回避しつつ動作させることによって、ＵＳＢを電源として光ディスク装置を安定的に動作させる可能性をより増やすことができる。
【００２３】
（実施の形態１）
以下、発明を実施するための最良の形態について図を用いて説明する。
【００２４】
図１は本発明の一実施の形態における光ディスク装置の外観図、図２は本発明の一実施の形態における光ディスク装置の構成を示すブロック図、図３は本発明の一実施の形態における光ディスク装置の消費電力の診断ツールにおいてユーザの操作を示すフローチャート、図４は本発明の一実施の形態における光ディスク装置の消費電力の診断ツールにおいて制御の流れを示すフローチャート、図５は本発明の一実施の形態における光ディスク装置の消費電力の診断ツールにおいて消費電力テストの制御の流れを示すフローチャート、図６は本発明の別の一実施の形態における光ディスク装置の消費電力の診断ツールにおいて消費電力テストの制御の流れを示すフローチャートである。
【００２５】
図１において、光ディスク装置１０１は、コンピュータ等電子機器に内蔵しない所謂外付けタイプのもので、上蓋１０２を開けて光ディスクを装着する。１０３はＵＳＢ接続用コネクタでＵＳＢケーブル１０４にて例えばコンピュータ１０５に接続することにより、コンピュータは光ディスクからデータを読み取ったり、光ディスクにデータを書き込むことができる。１０６はＡＣアダプタで商用電源（１００Ｖ等）のコンセント１０７からの電圧を降圧及び整流し、ＤＣジャック１０８から光ディスク装置１０１に供給する。光ディスク装置１０１の電力取得はＡＣアダプタ１０６に依る場合の他、ＵＳＢケーブル１０４の電源バスに依る場合がある。ＵＳＢケーブル１０４の電源バスで光ディスク装置１０１が必要とする電力を常に供給できるかは、主にコンピュータ１０５の電力供給能力に依存する。光ディスクにはＣＤ−ＲＯＭ、ＣＤ−Ｒ／ＲＷ、ＤＶＤ−ＲＯＭ、ＤＶＤ−ＲＡＭ、ＤＶＤ−Ｒ／ＲＷ、ＤＶＤ＋Ｒ／ＲＷが含まれ、光ディスク装置１０１はこれら光ディスクの１種類もしくは数種類に対応可能なものが含まれる。
【００２６】
なお、光ディスク装置内に内部で使用するのに適した電流電圧にする電源回路を備えているのであれば、ＡＣアダプタ１０６を使用せず、商用電源を直接適切な電線とコネクタで引き込む構成であっても良い。また、商用電源は使用せず光ディスク装置１０１に内蔵もしくは外付けされた電池を駆動用電源とするものであってもよい。
【００２７】
次に光ディスク装置の回路系の構成について図２を用いて説明する。ＣＰＵ１４で論理判断や演算を行う。１３はメインメモリで、制御プログラム、ならびに光ディスク記録装置のための記録制御プログラムを記憶したプログラム記憶エリアを有している。１１はバッファーメモリであり、記憶領域、記録制御、再生制御に必要な記憶領域として使用され
る。２はフィードモータであり、６のモータ駆動回路で駆動される。３はスピンドルモータで同じように６のモータ駆動回路で駆動される。４はピックアップユニットであり、アクチュエータ駆動回路７で駆動される。モータ駆動回路６、アクチュエータ駆動回路７をサーボ制御するものがＣＤサーボプロセッサ９である。また、モータ駆動回路６に電力を供給するのが駆動系電源回路８である。
【００２８】
再生系では、光ディスク1とピックアップユニット４から得られる光信号はアナログ信号処理部５で信号処理され、ＣＤサーボプロセッサ９のフィードバック信号として使われると共に、デジタル信号処理部１０の入力信号となりデジタル信号へ復調され、その結果をバッファメモリ１１へ格納する。バッファメモリ１１は記録データ、および復調したデータを一時記憶するためにメモリである。これらのデータはインタフェース部１２を経由し、ＡＴＡＰＩバス１６を使った通信でＵＳＢ変換ＩＣ１７とデータの受け渡しを行う。
【００２９】
ＵＳＢ変換ＩＣ１７は、受けたＡＴＡＰＩ信号をＵＳＢ信号１８へ変換しＵＳＢコネクタ１９を通しＵＳＢケーブル１０４によって外部のホストコンピュータ２０と接続されデータの受け渡しを行うものである。システムバス１５は、光ディスク装置１０１内でのデータ転送用バスである。メインメモリに記録されたプログラムによりＣＰＵがデジタル信号処理部の制御を行う。デジタル系電源回路２６はＣＰＵ１４、デジタル信号処理部１０、メモリ１３等、デジタル信号処理部に対し各種の電圧を安定供給する。
【００３０】
ＡＣアダプタ２１はＡＣ１００ＶをＤＣ６Ｖへ変換し、ＤＣジャック２２よりドライブへ供給する。電源起動回路２３はＵＳＢコネクタ１９のＶＢＵＳ（電源バス、以下ＵＳＢ電源と呼ぶ）２４の電圧を検知し電源の選択を行うと共に、ドライブの駆動系電源回路８やデジタル系電源回路２５に電圧を供給または停止することでドライブを起動または終了させる。
【００３１】
次に、本発明の実施の形態における光ディスク装置において、ユーザが接続したコンピュータから電力供給が可能かどうか診断する手順について、図３を用いて説明する。
【００３２】
まず、光ディスク装置をコンピュータに接続する（Ｓ１）。このとき最初からＵＳＢ電源で動作させた場合、光ディスクの読み込みすら出来ない場合が考えられるため、ＡＣアダプタ２１は接続しておく。次にセットアップＣＤを光ディスク装置に取り付け（Ｓ２）、アプリケションソフトである診断ツールを起動する（Ｓ３）。なお、診断ツールはセットアップＣＤから直接起動しても、セットアップＣＤから診断ツールをコンピュータにインストールし、インストールした診断ツールを起動しても良い。診断ツールは、セットアップＣＤに保管されている診断ツールをピックアップユニット４にて読み取り、アナログ信号処理部５、ＣＤサーボプロセッサ９、デジタル信号処理部１０、インタフェース部１２、Ｉ／Ｆ変換ＩＣ１７を経由し、ＵＳＢにてコンピュータ２０に取り込まれる。診断ツールをコンピュータ２０にて実行することによりテストが行われ、ＵＳＢ電源にて電力供給可能な環境であるか診断する（Ｓ４）。診断ツールはインターネットの所定のダウンロードサイトよりダウンロードすることによりコンピュータ２０に取り込まれるものであってもよい。診断結果として、ＵＳＢ電源にて電力供給可能かどうかが例えばＯＫ／ＮＧでコンピュータ２０の画面上に表示される為、ＵＳＢ電源にて電力供給可能と診断された場合は、以降診断したコンピュータとの組み合わせにおいては、ＡＣアダプタ２１無しに光ディスク装置を使用することが可能である。ＵＳＢ電源にて電力供給不可能と診断された場合は、動作モードによっては電力供給不足になって動作不良になる可能性がある為、ＡＣアダプタ２１を使用することが望ましい。
【００３３】
次に、診断ツールで行われる制御について、図４を用いて説明する。
【００３４】
診断ツールを起動すると、診断ツールは始めにコンピュータで使用されているＯＳの確認を行う（Ｓ５）。本光ディスク装置で対応していないＯＳを使用している場合は、エラーメッセージを出して診断を中止する。
【００３５】
次に、診断ツールは光ディスク装置の接続状態の確認を行う（Ｓ６）。光ディスク装置が正しく接続されていない場合は、診断ツールはエラー表示し、接続を確認し診断ツールを立ち上げ直すよう表示して診断を中止する。
【００３６】
次に、光ディスク装置がテスト可能な状態か確認する（Ｓ７）。たとえば、ＵＳＢに２台以上の接続機器が接続されている場合、いずれもＵＳＢ電源から電力供給されている可能性がある。この場合、診断結果が不正確になる可能性がある為、エラーとする。ＵＳＢに本光ディスク装置以外の接続機器が接続されていないが確認し、本光ディスク装置以外の接続機器が接続されている場合、その旨表示し、テストが実施できないことを表示して診断を中止する。
【００３７】
次に、光ディスク装置の状態の確認を行う（Ｓ８）。診断ツールは、コンピュータ２０側から光ディスク装置にベンダーコマンドを発行し、メインメモリ１３に記憶されているドライブの状態の情報を取り込むことによって確認を行う。ベンダーコマンドはＵＳＢからＩ／Ｆ変換ＩＣ１７、ＡＴＡＰＩバス、インタフェース部１２、デジタル信号処理部１０を経由してＣＰＵ１４に送られる。ドライブの状態の情報、例えば上蓋が開いていないか、ＡＣアダプタの状態、電源スイッチの状態、光ディスク装置の電源モード（通常モードか省エネモードか等）状態、ディップスイッチの状態等の情報は、ＣＰＵ１４のポートの状態として得られ、その結果がメインメモリ１３に記憶されている。診断ツールはベンダーコマンドを発行することによってＣＰＵ１４を動かし、これらの情報を光ディスク装置から入手し、テストが実行できる状態かどうかを確認する。テストが実行できる状態になっていなかったら、その旨表示し、テストが実行できる状態にするよう指示して診断を中止する。
【００３８】
次に、ディスクボリュームの確認を行う（Ｓ９）。テストは、光ディスク装置に専用の光ディスクを装着し、そのデータを読み取りながら実施する為、専用の光ディスクが装着されているか確認する。専用の光ディスクかどうかはデスクに設けられたディスクボリュームを読み取ることによって行われる。ディスクボリュームの情報は、光ディスク１からの最初の読み取り時に読み取られ、メインメモリ１３に記憶されているので、診断ツールは便たーコマンドを発行し、この情報を入手する。専用の光ディスクが装着されていない場合は、診断ツールは専用の光ディスクを装着するよう表示し、装着を待つ。
【００３９】
次に、テストスタンバイ状態にする（Ｓ１０）。ここまで、ＡＣアダプタを装着した状態で動作させているが、テストはＡＣアダプタが接続されているとＵＳＢ電源から電源を使用せずＡＣアダプタから電源を供給してしまうため、ＡＣアダプタ２１を外して行う。光ディスクが回転したままでＡＣアダプタを外すと不具合が生じる場合があるので、まず光ディスクを停止させる。そして、画面上にテストのスタートボタンを表示すると共に、ＡＣアダプタを外した上でスタートボタンをクリックするよう指示を表示する。さらにベンダーコマンドでＡＣアダプタの状態を監視し、ＡＣアダプタが抜かれるまで待つ。ジャック２２からＣＰＵ１４に周期的にＡＣアダプタが抜かれていないか信号を送ったり、あるいはＡＣアダプタが抜かれた際に信号を送ることによって、ＣＰＵ１４はＡＣアダプタの状態を監視しており、ＡＣアダプタの最新状態はメインメモリ１３に記憶されている。診断ツールは、メインメモリ１３に記憶されているＤＣジャック２２の状態を入手することにより、ＡＣアダプタが抜かれているかの情報を得る。一定時間待ってもＡＣアダプタが抜かれない場合は、ＡＣアダプタを抜くように指示を表示する。
【００４０】
テストが実施できる状態になり、スタートボタンがクリックされるとテストを開始する（Ｓ１１）。テストで行う制御を図５に示す。
【００４１】
始めに光ディスク情報を読み込み、最外周のアドレスを取得する（Ｓ１２）。その結果を元に、次に内周から外周までの間に適当に数ポイントのシークポイントを設定する（Ｓ１３）。好ましくは、内周から外周まで等間隔に５ポイント程度シークポイントを設定する。なおこれは、後述するテストの一例の準備段階として行うものである。次に、光ディスク装置にベンダーコマンドを発行し、ドライブをテスト状態へ推移させる（Ｓ１４）。具体的には、次のテストに備えて、通常のＵＳＢ電源を使用して動作するモードより、少し消費電流の高いモードに設定する。このモードの状態でテストを実行することで、通常動作より、少しマージンがある状態で判断することが可能となる。この際、コンピュータ２０の診断ツールからは、少し消費電流の高いモードで動作するようＣＰＵ１４にコマンドを発行する。ＣＰＵ１４はコマンドを受けて光ディスク装置を少し消費電流の高いモードで動作させる。
【００４２】
次にテストを開始する。テストは光ディスク装置に消費電力が異なるような種々の動作を実施させ、電力供給が不足しないかを確認するものである。
【００４３】
例えば、事前に設定したシークポイント間について、所定の順序にてリード、ジャンプ、リードを動作させるなどテスト動作を実施する。シークポイントやシークポイント間によって、リード中やジャンプによる光ピックアップのフィード中の電力消費が異なる。これらの動作を適当な読み取り倍速で行う。読み取り倍速は、数種類変化させながら行っても良い。一連の動作を数回繰り返すものであっても良い。また、事前に一時的に消費電力が増加するような、シークポイントや倍速などの組み合わせを１種類もしくは数種類を設定しておき、その組み合わせをテストするものであっても良い。ここで、シークポイント間の移動はフィードモータ２で、読み取り倍速変更時の光ディスクの回転数変更はスピンドルモータ３で行われ、ともにモータ駆動回路６で駆動される。
【００４４】
テストで行う動作設定としては、光ディスク装置の消費電力が最大もしくはほぼ最大になる動作設定が含まれるとテストの信頼性が高まり望ましい。フィードモータ２やスピンドルモータ３の動作設定の他、アクチュエータ駆動回路７で駆動されるピックアップユニット４の設定や、光ディスクに照射するレーザ光の設定や、その他回路系の設定がテストで行う動作設定に含まれていても良い。
【００４５】
このようなテストによって、一時的にコンピュータからの供給電力が不足すると、テスト中光ディスク装置からコンピュータへ送信していたリード情報などのデータの送信が停止してしまう。よって、このデータの送信が停止することをもってコンピュータからの供給電力の不足を判定する。例えば図５に示すように、事前に設定したシークポイント間について、テスト動作を動作させ（Ｓ１５）、光ディスク装置からのデータの送信が停止しないかをモニターし（Ｓ１６）、データ送信が停止した場合はコンピュータからの電力供給は不足すると判定する（Ｓ１７）。データの送信が停止していない場合は、テスト残りがあるか確認し（Ｓ１８）、テスト残りがある場合は設定を変更し（Ｓ１９）テスト動作を動作させる。全テストについてデータの送信があった場合は、コンピュータからの電力供給は可能と判定する（Ｓ２０）。光ディスク装置にベンダーコマンドを発行し、ドライブをテスト前の状態へ戻して（Ｓ２１）テストを終了する。
【００４６】
テストが終了したら、テスト結果を画面に表示する。コンピュータからの電力供給は可能と判定した場合、その旨を表示する。コンピュータからの電力供給は不足すると判定した場合、その旨を表示しＡＣアダプタの使用の指示などを表示する。
【００４７】
なお本テスト例では、一度でもデータ送信が停止した時点でコンピュータからの電力供給は不足すると判定しているが、データ送信の停止が発生してもテストを継続し、一連のテストが終了した後コンピュータからの電力供給は不足すると判定するものであっても良い。
【００４８】
テストの動作は、いずれも診断ツールからＣＰＵ１４にベンダーコマンドを発行することによって、診断ツールはメインメモリ１３に記憶されているドライブの状態を把握し、さらにＣＰＵ１４にベンダーコマンドを発行して、テストの条件を指示することによって行われる。
【００４９】
図６はテストの別の一例である。本テスト例において、診断ツールに実際の使用時に生じる可能性があり消費電力が増加するスピンドルモータ３の動作設定、フィードモータ４の動作設定、ピックアップユニット４のリード、ライト等の設定など、設定の組み合わせをテーブルとして用意しておく。光ディスク装置の消費電力が最大もしくはほぼ最大になる動作設定が含まれるとテストの信頼性が高まり望ましい。図６において、テスト準備（Ｓ２２）はこのテストを実施する為の準備で、図５の光ディスク内容の確認（Ｓ１２）、シークポイントの設定（Ｓ１３）も想定される。
【００５０】
テスト準備（Ｓ２２）後、ドライブ状態の変更を行い（Ｓ２３）、テストを実施する（Ｓ２４）。テストは先のテーブルに従って設定の組み合わせを変更しながら行う。光ディスク装置からのデータの送信が停止しないかをモニターし（Ｓ２５）、テスト残りが無いか判定する（Ｓ２６）。テスト残りがある場合、次の設定に変更して（Ｓ２７）テストを行う。テストした設定で電力供給不足が発生し、信号の送信が停止した場合はそのテストの設定を記憶する（Ｓ２８）。テスト残りが無いか判定し（Ｓ２６）、テスト残りがある場合、次の設定に変更して（Ｓ２７）テストを行う。テスト残りが無くなったらドライブをテスト前の状態へ戻して（Ｓ２９）テストを終了する。テスト終了時、（Ｓ２８）でのテスト時の設定の記憶が無ければコンピュータからの電力供給は可能と判定され、テスト時の設定の記憶があればコンピュータからの電力供給は不足すると判定される。
【００５１】
次に図４のテスト結果の表示（Ｓ４０）の段階で、テスト結果を画面に表示するとともに、記憶されている電力供給不足が発生する設定を光ディスク装置に送信し、メインメモリ１３に記憶する。
【００５２】
診断終了後、光ディスク装置を動作させるに当たって、ＣＰＵ１４はメインメモリ１３に記憶された電力供給不足が発生する設定は回避させながら全体の制御を行う。こうすることによって、よりコンピュータから電力供給を受けるコンピュータと光ディスク装置の組み合わせを増やすことが出来る。
【００５３】
なお、テストの結果によって電力供給が不足する設定を回避して光ディスク装置を安定して動作できない場合は、テスト結果の表示（Ｓ４０）の段階でその旨を表示し、ＡＣアダプタの使用の指示などを表示する。
【００５４】
また、図７はテストのさらに別の一例である。
【００５５】
ドライブとして、動作モードを数パターン持っておく。このモードは消費電力に応じて順番に管理されており、メインメモリ１３に記憶させておく。診断ツールはテストの準備を行い（Ｓ３０）、ＣＰＵ１４にベンダーコマンドを発行して最も低消費電力であるモードにて（Ｓ３１）テストを実施する（Ｓ３２）。信号の送信があり動作がＯＫ（Ｓ３３）であるならば、１段階消費電力の高いモードがあるかを判定する（Ｓ３４）。１段階消費電力の高いモードがあれば、そのモードに設定し（Ｓ３５）、一連のテストを実施する（
Ｓ３２）。動作がＯＫであるならば、順番に消費電力の高いモードに上げていく。Ｓ３３にて動作がＮＧの場合、最後にＯＫになった状態をメインメモリ１３に記憶し（Ｓ３６）テストを終了する。以降、電源を立ち上げた際は記憶されたモードにて動作させる。こうすることによって、ユーザ環境下で可能な、最適な動作条件で動作させることが可能となる。
【００５６】
以上に述べた実施の形態では、他の電子機器から電力供給を受ける接続機器として光ディスク装置を取り上げたが、接続機器として他の電子機器と信号の送受をするとともに電力供給を受ける電子機器であればよく、光ディスク装置に限るものではない。また本実施の形態では、コンピュータ等他の電子機器との接続手段としてＵＳＢインタフェースを採用しているが、接続手段が電力伝達機能と信号伝達機能を兼ね備えたものであれば良く、ＩＥＥＥ１３９４インタフェースであっても良い。また本実施の形態では、光ディスク装置等接続機器と信号の送受を行うと共に電力供給を行うものとしてコンピュータを取り上げているが、光ディスク装置等接続機器に電力供給が可能であり、この光ディスク装置等接続機器の消費電力を診断する為のテスト動作を光ディスク装置等接続機器に行わせる為の指示を出す手段をもっている電子機器であればよく、コンピュータに限るものでない。
【産業上の利用可能性】
【００５７】
電力供給手段を持つ電子機器にＵＳＢ等電力伝達機能と信号伝達機能を兼ね備えた接続手段で接続し使用される接続機器、電子機器から接続機器への安定的な電力の供給を必要とする場合において利用できる。
【図面の簡単な説明】
【００５８】
【図１】本発明の一実施の形態における光ディスク装置の外観図
【図２】本発明の一実施の形態における光ディスク装置の構成を示すブロック図
【図３】本発明の一実施の形態における光ディスク装置の消費電力の診断ツールにおいてユーザの操作を示すフローチャート
【図４】本発明の一実施の形態における光ディスク装置の消費電力の診断ツールにおいて制御の流れを示すフローチャート
【図５】本発明の一実施の形態における光ディスク装置の消費電力の診断ツールにおいて消費電力テストの制御の流れを示すフローチャート
【図６】本発明の別の一実施の形態における光ディスク装置の消費電力の診断ツールにおいて消費電力テストの制御の流れを示すフローチャート
【図７】本発明の別の一実施の形態における光ディスク装置の消費電力の診断ツールにおいて消費電力テストの制御の流れを示すフローチャート
【図８】従来の光ディスク装置の構成を示すブロック図
【符号の説明】
【００５９】
１    光ディスク
２    フィードモータ
３    スピンドルモータ
４    ピックアップユニット
５    アナログ信号処理部
６    モータ駆動回路
７    アクチュエータ駆動回路
８    駆動系電源回路
９    ＣＤサーボプロセッサ
１０    デジタル信号処理部
１１    バッファメモリ
１２    インタフェース部
１３    メインメモリ
１４    ＣＰＵ
１５    システムバス
１６    ＡＴＡＰＩバス
１７    ＵＳＢ変換ＩＣ
１８    ＵＳＢ信号
１９    ＵＳＢコネクタ
２０    コンピュータ
２１    ＡＣアダプタ
２２    ＤＣジャック
２３    電源起動回路
２４    ＶＢＵＳ
２５    電源起動回路
２６    デジタル系電源回路
１０１    光ディスク装置
１０２    上蓋
１０３    ＵＳＢ接続用コネクタ
１０４    ＵＳＢケーブル
１０５    コンピュータ
１０６    ＡＣアダプタ
１０７    コンセント
１０８    ＤＣジャック
【図１】
2005135376.tif 000003
【図２】
2005135376.tif 000004
【図３】
2005135376.tif 000005
【図４】
2005135376.tif 000006
【図５】
2005135376.tif 000007
【図６】
2005135376.tif 000008
【図７】
2005135376.tif 000009
【図８】
2005135376.tif 000010